【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
基地局装置と通信を行なう移動局装置であって、
複数のサウンディング参照信号設定情報を受信した場合、前記情報に基づいて複数のサウンディング参照信号設定をセットし、
上りリンクグラントからサウンディング参照信号の送信を要求するか否かを指示するフィールドを検出し、
前記フィールドが２ビットで構成されている場合、
前記フィールドに第１の値に対応する情報ビットがセットされていると、第１のサウンディング参照信号設定に基づいて生成したサウンディング参照信号を前記基地局装置へ送信し、
前記フィールドに第２の値に対応する情報ビットがセットされていると、第２のサウンディング参照信号設定に基づいて生成したサウンディング参照信号を前記基地局装置へ送信し、
前記フィールドに第３の値に対応する情報ビットがセットされていると、第３のサウンディング参照信号設定に基づいて生成したサウンディング参照信号を前記基地局装置へ送信し、
前記フィールドに第４の値に対応する情報ビットがセットされていると、サウンディング参照信号を前記基地局装置へ送信しない
ことを特徴とする移動局装置。
【請求項２】
前記フィールドが１ビットで構成されている場合、前記フィールドに所定の値に対応する情報ビットがセットされていると、サウンディング参照信号を前記基地局装置へ送信する
ことを特徴とする請求項１記載の移動局装置。
【請求項３】
基地局装置と通信を行なう移動局装置の通信方法であって、
複数のサウンディング参照信号設定情報を受信した場合、前記情報に基づいて複数のサウンディング参照信号設定をセットするステップと、
上りリンクグラントからサウンディング参照信号の送信を要求するか否かを指示するフィールドを検出するステップと、
前記フィールドが２ビットで構成されている場合、
前記フィールドに第１の値に対応する情報ビットがセットされていると、第１のサウンディング参照信号設定に基づいて生成したサウンディング参照信号を前記基地局装置へ送信するステップと、
前記フィールドに第２の値に対応する情報ビットがセットされていると、第２のサウンディング参照信号設定に基づいて生成したサウンディング参照信号を前記基地局装置へ送信するステップと、
前記フィールドに第３の値に対応する情報ビットがセットされていると、第３のサウンディング参照信号設定に基づいて生成したサウンディング参照信号を前記基地局装置へ送信するステップと、
前記フィールドに第４の値に対応する情報ビットがセットされていると、サウンディング参照信号を前記基地局装置へ送信しないステップと、を含む
ことを特徴とする通信方法。
【請求項４】
前記フィールドが１ビットで構成されている場合、前記フィールドに所定の値に対応する情報ビットがセットされていると、サウンディング参照信号を前記基地局装置へ送信するステップと、を含む
ことを特徴とする請求項３記載の通信方法。
【請求項５】
基地局装置と通信を行なう移動局装置に搭載される集積回路であって、
複数のサウンディング参照信号設定情報を受信した場合、前記情報に基づいて複数のサウンディング参照信号設定をセットする機能と、
上りリンクグラントからサウンディング参照信号の送信を要求するか否かを指示するフィールドを検出する機能と、
前記フィールドが２ビットで構成されている場合、
前記フィールドに第１の値に対応する情報ビットがセットされていると、第１のサウンディング参照信号設定に基づいて前記サウンディング参照信号を生成する機能と、
前記フィールドに第２の値に対応する情報ビットがセットされていると、第２のサウンディング参照信号設定に基づいて前記サウンディング参照信号を生成するステップと、
前記フィールドに第３の値に対応する情報ビットがセットされていると、第３のサウンディング参照信号設定に基づいて前記サウンディング参照信号を生成するステップと、
前記フィールドに第４の値に対応する情報ビットがセットされていると、前記サウンディング参照信号を生成しない機能と、を前記移動局装置に発揮させる
ことを特徴とする集積回路。
【請求項６】
前記フィールドが１ビットで構成されている場合、前記フィールドに所定の値に対応する情報ビットがセットされていると、サウンディング参照信号を前記基地局装置へ送信する機能と、を前記移動局装置に発揮させる
ことを特徴とする請求項５記載の集積回路。
【請求項７】
移動局装置と通信を行なう基地局装置であって、
複数のサウンディング参照信号設定情報を無線リソース制御信号で前記移動局装置へ送信し、
サウンディング参照信号の送信を要求するか否かを指示する２ビットフィールドまたは１ビットフィールドをセットした上りリンクグラントを前記移動局装置へ送信する
ことを特徴とする基地局装置。
【請求項８】
前記２ビットフィールドをセットした上りリンクグラントを送信する際に、
前記移動局装置に第１のサウンディング参照信号設定に基づくサウンディング参照信号の送信を要求する場合には、前記２ビットフィールドに第１の値に対応する情報ビットをセットし、
前記移動局装置に第２のサウンディング参照信号設定に基づくサウンディング参照信号の送信を要求する場合には、前記２ビットフィールドに第２の値に対応する情報ビットをセットし、
前記移動局装置に第３のサウンディング参照信号設定に基づくサウンディング参照信号の送信を要求する場合には、前記２ビットフィールドに第３の値に対応する情報ビットをセットし、
前記移動局装置にサウンディング参照信号の送信を要求しない場合には、前記２ビットフィールドに第４の値に対応する情報ビットをセットする
ことを特徴とする請求項７記載の基地局装置。
【請求項９】
前記１ビットフィールドをセットした上りリンクグラントを送信する際に、前記移動局装置にサウンディング参照信号の送信を要求する場合には、前記１ビットフィールドに所定の値に対応する情報ビットをセットする
ことを特徴とする請求項７または請求項８記載の基地局装置。
【請求項１０】
移動局装置と通信を行なう基地局装置の通信方法であって、
複数のサウンディング参照信号設定情報を無線リソース制御信号で前記移動局装置へ送信するステップと、
サウンディング参照信号の送信を要求するか否かを指示する２ビットフィールドまたは１ビットフィールドをセットした上りリンクグラントを前記移動局装置へ送信するステップと、を含む
ことを特徴とする通信方法。
【請求項１１】
前記２ビットフィールドをセットした上りリンクグラントを送信する際に、
前記移動局装置に第１のサウンディング参照信号設定に基づくサウンディング参照信号の送信を要求する場合には、前記２ビットフィールドに第１の値に対応する情報ビットをセットするステップと、
前記移動局装置に第２のサウンディング参照信号設定に基づくサウンディング参照信号の送信を要求する場合には、前記２ビットフィールドに第２の値に対応する情報ビットをセットするステップと、
前記移動局装置に第３のサウンディング参照信号設定に基づくサウンディング参照信号の送信を要求する場合には、前記２ビットフィールドに第３の値に対応する情報ビットをセットするステップと、
前記移動局装置にサウンディング参照信号の送信を要求しない場合には、前記２ビットフィールドに第４の値に対応する情報ビットをセットするステップと、を含む
ことを特徴とする請求項１０記載の通信方法。
【請求項１２】
前記１ビットフィールドをセットした上りリンクグラントを送信する際に、前記移動局装置にサウンディング参照信号の送信を要求する場合には、前記１ビットフィールドに所定の値に対応する情報ビットをセットするステップと、を含む
ことを特徴とする請求項１０または請求項１１記載の通信方法。
【請求項１３】
移動局装置と通信を行なう基地局装置に搭載される集積回路であって、
複数のサウンディング参照信号設定情報を含む無線リソース制御信号を生成する機能と、
サウンディング参照信号の送信を要求するか否かを指示する２ビットフィールドまたは１ビットフィールドをセットした上りリンクグラントを生成する機能と、を前記基地局装置に発揮させる
ことを特徴とする集積回路。
【請求項１４】
前記２ビットフィールドをセットした上りリンクグラントを生成する際に、
前記移動局装置に第１のサウンディング参照信号設定に基づくサウンディング参照信号の送信を要求する場合には、前記２ビットフィールドに第１の値に対応する情報ビットをセットする機能と、
前記移動局装置に第２のサウンディング参照信号設定に基づくサウンディング参照信号の送信を要求する場合には、前記２ビットフィールドに第２の値に対応する情報ビットをセットする機能と、
前記移動局装置に第３のサウンディング参照信号設定に基づくサウンディング参照信号の送信を要求する場合には、前記２ビットフィールドに第３の値に対応する情報ビットをセットする機能と、
前記移動局装置にサウンディング参照信号の送信を要求しない場合には、前記２ビットフィールドに第４の値に対応する情報ビットをセットする機能と、を前記基地局装置に発揮させる
ことを特徴とする請求項１３記載の集積回路。
【請求項１５】
前記１ビットフィールドをセットした上りリンクグラントを生成する際に、前記移動局装置にサウンディング参照信号の送信を要求する場合には、前記１ビットフィールドに所定の値に対応する情報ビットをセットする機能と、を前記基地局装置に発揮させる
ことを特徴とする請求項１３または請求項１４記載の集積回路。